(57)【特許請求の範囲】
【請求項１】
故障発生時に当該故障に応じた故障診断コードを発行し記憶する自己診断部を備えた車両に搭載される運行情報管理装置であって、
前記自己診断部が発行した故障診断コードを、当該故障診断コードが発行された際の走行距離と共に記憶するコード記憶部と、
前記自己診断部で故障診断コードが消去されたとき、当該故障診断コードが消去されたときと同じ走行距離で発行された故障診断コードに、前記車両の整備時に発行されたことを示す整備時情報を付与して前記コード記憶部に記憶させる整備時情報付与部と、
を備えたことを特徴とする運行情報管理装置。
【請求項２】
前記コード記憶部は、前記整備時情報の有無を示すフラグを、故障診断コードと共に記憶するように構成され、
前記整備時情報付与部は、前記フラグの値を変化させることで、前記整備時情報を付与させるように構成される
請求項１記載の運行情報管理装置。
【発明の詳細な説明】
【技術分野】
【０００１】
本発明は、運行情報管理装置に関するものである。
【背景技術】
【０００２】
故障発生時に当該故障に応じた故障診断コード（Diagnostic Trouble Cord、以下ＤＴＣという）を発行し記憶する自己診断部を備えた車両が知られている。
【０００３】
車両の自己診断機能はＯＢＤ（On-Board Diagnostics）と呼ばれており、一般に、故障が発生した際には、故障の箇所や内容をランプの点灯や明滅、あるいはブザー音により運転者に通知し、故障内容に応じたＤＴＣを記録するようになっている。
【０００４】
ＤＴＣは、例えば、アルファベット１文字と４桁の数字により表されるものであり、種々の故障に対応するように細かく設定されている。
【０００５】
ところで、自己診断部は車両の電子制御ユニット（以下、ＥＣＵという）に搭載されるが、ＥＣＵのメモリ容量に制約があるため、故障診断コードを確実に記録するために、運行情報管理装置が用いられている。
【０００６】
運行情報管理装置は、自己診断部が発行したＤＴＣを、当該ＤＴＣが発行された際の日時や走行距離と共に不揮発性メモリに記憶し、故障の解析等で必要な場合に、内蔵された不揮発性メモリから情報を読み出せるように構成されている。
【０００７】
なお、この出願の発明に関連する先行技術文献情報としては、特許文献１がある。
【先行技術文献】
【特許文献】
【０００８】
【特許文献１】特開２０１０−２３８０２２号公報
【発明の概要】
【発明が解決しようとする課題】
【０００９】
ところで、自己診断部は、車両の整備中にも自己診断を続行するため、例えば整備のためにケーブルの接続を解除したような場合であっても、断線と診断されＤＴＣが発行されてしまう。
【００１０】
そのため、故障の解析等で運行管理装置からＤＴＣを読み出した際に、そのＤＴＣが整備時に発生したものであるか否かが判断できず、故障の解析等の障害となる場合があった。
【００１１】
そこで、本発明の目的は、上記課題を解決し、整備時の故障診断コードを区別することが可能な運行情報管理装置を提供することにある。
【課題を解決するための手段】
【００１２】
本発明は上記目的を達成するために創案されたものであり、故障発生時に当該故障に応じた故障診断コードを発行し記憶する自己診断部を備えた車両に搭載される運行情報管理装置であって、前記自己診断部が発行した故障診断コードを、当該故障診断コードが発行された際の走行距離と共に記憶するコード記憶部と、前記自己診断部で故障診断コードが消去されたとき、当該故障診断コードが消去されたときと同じ走行距離で発行された故障診断コードに、前記車両の整備時に発行されたことを示す整備時情報を付与して前記コード記憶部に記憶させる整備時情報付与部と、を備えた運行情報管理装置である。
【００１３】
前記コード記憶部は、前記整備時情報の有無を示すフラグを、故障診断コードと共に記憶するように構成され、前記整備時情報付与部は、前記フラグの値を変化させることで、前記整備時情報を付与させるように構成されてもよい。
【発明の効果】
【００１４】
本発明によれば、整備時の故障診断コードを区別することが可能な運行情報管理装置を提供できる。
【図面の簡単な説明】
【００１５】
【図１】本発明の一実施形態に係る運行情報管理装置を備えた自己診断システムの概略構成図である。
【図２】図１の運行情報管理装置の制御フローを示すフロー図である。
【発明を実施するための形態】
【００１６】
以下、本発明の実施形態を添付図面にしたがって説明する。
【００１７】
図１は、本実施形態に係る運行情報管理装置を備えた自己診断システムの概略構成図である。
【００１８】
図１に示すように、自己診断システム１００は、車両に搭載され、故障発生時に当該故障に応じた故障診断コード（以下、ＤＴＣという）を発行し記憶する自己診断部２を備えている。
【００１９】
自己診断部２は、故障が発生した際には、故障の箇所や内容をランプの点灯や明滅、あるいはブザー音により運転者に通知し、故障内容に応じたＤＴＣを記録するように構成されている。自己診断部２は、車両の電子制御ユニット（以下、ＥＣＵという）３に搭載される。
【００２０】
また、自己診断システム１００は、管理ツール（スキャンツール）４を備え、この管理ツール４を介して、自己診断部２に記憶されたＤＴＣの読み出しやＤＴＣの消去等の制御を行えるようになっている。
【００２１】
さて、自己診断システム１００は、本実施形態に係る運行情報管理装置１を備えている。
【００２２】
運行情報管理装置１とＥＣＵ３と管理ツール４とは、例えば、車載ＬＡＮ（ＣＡＮ）を介して通信可能に構成されている。運行情報管理装置１には、車載ＬＡＮを介して、走行距離等の情報が入力されるように構成されている。
【００２３】
運行情報管理装置１は、コード記憶部５と、整備時情報付与部６と、を備えている。
【００２４】
コード記憶部５は、自己診断部２が発行したＤＴＣを、当該ＤＴＣが発行された際の日時や走行距離と共に記憶するものである。
【００２５】
整備時情報付与部６は、自己診断部２でＤＴＣが消去されたとき、当該ＤＴＣが消去されたときと同じ走行距離で発行されたＤＴＣに、車両の整備時に発行されたことを示す整備時情報を付与してコード記憶部５に記憶させるものである。
【００２６】
車両の整備中を行った際には、自己診断部２において整備中に記録されたＤＴＣを消去して出庫するのが一般的である。このとき、運行情報管理装置１のコード記憶部５に記憶されたＤＴＣまで消去は行われないために、後の解析時等に問題が発生していた。
【００２７】
本実施形態では、コード記憶部５に記憶されたＤＴＣのうち、ＤＴＣを消去したときと同じ走行距離で発行されたＤＴＣについては、整備中に発生したものであると判断し、整備時情報という足跡を付けて、他のＤＴＣと区別できるようにしている。
【００２８】
なお、整備中に発生したＤＴＣであると判断する走行距離については、幅をもたせても構わない。つまり、整備時情報付与部６は、ＤＴＣを消去したときの走行距離以下で、かつ、ＤＴＣを消去したときの走行距離から所定値を減じた走行距離以上の走行距離で発行されたＤＴＣに、車両の整備時に発行されたことを示す整備時情報を付与するように構成されても構わない。
【００２９】
上述のように、自己診断部２におけるＤＴＣの消去は、管理ツール４を介して行われる。具体的には、自己診断部２におけるＤＴＣの消去を行う際には、管理ツール４からＥＣＵ３にＤＴＣ消去命令が出力され、このＤＴＣ消去命令を受信した自己診断部２が、記憶したＤＴＣを消去する。
【００３０】
本実施形態では、管理ツール４からのＤＴＣ消去命令は、運行情報管理装置１にも送信されるように構成されている。整備時情報付与部６は、ＤＴＣ消去命令を受信したときに、自己診断部２でＤＴＣが消去されたと判断するように構成される。なお、これに限らず、自己診断部２がＤＴＣ消去命令を受信したとき、あるいはＤＴＣを消去したときに、ＤＴＣを消去する（あるいは消去した）ことを運行情報管理装置１に通知するように自己診断部２を構成してもよい。
【００３１】
整備時情報付与部６は、自己診断部２でＤＴＣが消去されたと判断すると、その時点での走行距離の情報を取得すると共に、コード記憶部５を参照して、取得した走行距離と同じ走行距離で発行されたＤＴＣを検索しピックアップする。その後、整備時情報付与部６は、ピックアップしたＤＴＣに整備時情報を付与してコード記憶部５に記憶させる。
【００３２】
本実施形態では、整備時情報の有無を示すフラグを、ＤＴＣと共に記憶するようにコード記憶部５を構成し、かつ、そのフラグの値を変化させることで、整備時情報を付与させるように整備時情報付与部６を構成した。なお、フラグとは、処理結果を真（Ｔｒｕｅ）、偽（Ｆａｌｅｓ）いずれかの値で保持するレジスタまたは変数のことであり、このフラグが真であるか偽であるかによって整備時情報の有無が確認できるようになっている。
【００３３】
なお、整備時情報を付与する形式はフラグに限られるものではなく、例えば、整備時情報を付与した専用のＤＴＣ（整備時用ＤＴＣ）を設定しておき、コード記憶部５に記憶されているＤＴＣを整備時用ＤＴＣに置換するようにしてもよいし、ＤＴＣに任意の文字列（例えば”．（コロン）”など）を付け足すことで、整備時情報を付与するよう構成しても構わない。
【００３４】
次に、本実施形態に係る運行情報管理装置１の制御フローを説明する。運行情報管理装置１は、車両のイグニッションスイッチがオンとなっている間、図２の制御フローを繰り返し実行するように構成されている。
【００３５】
図２に示すように、運行情報管理装置１では、まず、ステップＳ１にて、自己診断部２でＤＴＣが消去されたかを判断する。本実施形態では、管理ツール４からＤＴＣ消去命令を受信したときに、自己診断部２でＤＴＣが消去されたと判断することになる。ステップＳ１でＮＯと判断された場合、そのまま処理を終了する。
【００３６】
ステップＳ１にてＹＥＳと判断された場合、ステップＳ２にて、現在の走行距離を取得し、ステップＳ３にて、現在の走行距離で発行されたＤＴＣに整備時情報を付与する。本実施形態では、整備時情報を示すフラグをオンにすることで、整備時情報を付与する。その後、処理を終了する。
【００３７】
以上説明したように、本実施形態に係る運行情報管理装置１は、自己診断部２が発行したＤＴＣを、当該ＤＴＣが発行された際の走行距離と共に記憶するコード記憶部５と、自己診断部２でＤＴＣが消去されたとき、当該ＤＴＣが消去されたときと同じ走行距離で発行されたＤＴＣに、車両の整備時に発行されたことを示す整備時情報を付与してコード記憶部５に記憶させる整備時情報付与部６と、を備えている。
【００３８】
これにより、コード記憶部５からＤＴＣを読み出した際に、整備時に発行されたＤＴＣを区別することが可能になる。よって、例えば、故障の解析を行う際に、整備時に発行されたＤＴＣを除外して解析を行うことが可能となり、解析作業が容易になる。
【００３９】
本発明は上記実施形態に限定されるものではなく、本発明の趣旨を逸脱しない範囲で種々の変更を加え得ることは勿論である。
【符号の説明】
【００４０】
１  運行情報管理装置
２  自己診断部
５  コード記憶部
６  整備時情報付与部
【図１】
0006358001.tif 000002
【図２】
0006358001.tif 000003